(57)【特許請求の範囲】
【請求項１】
通信システムにおけるシステム情報に用いる更新方法であって、
制御局がシステム情報の送信パラメータ又は送信方式を調整することと、制御局が調整した後の送信パラメータ又は送信方式に応じて1つ又は複数の従属局に前記システム情報を送信することとを備え、
前記制御局がシステム情報の送信パラメータ又は送信方式を調整するステップは、
前記制御局が受動的調整方式を採用し、従属局からのフィードバック情報に基づいて、変化した後の、またはすべてのシステム情報の送信パラメータ又は送信方式を調整することを備え、
前記フィードバック情報がチャンネル品質指示(CQI)情報であり、
前記方法は、従属局が制御局のフィードバック要求に応じて、長期又は短期のフィードバックメッセージによって制御局へ1つの時間間隔内のCQI情報を報告することをさらに備え、
前記制御局が受動的調整方式を採用し、従属局からのフィードバック情報に基づいて変化した又はすべてのシステム情報の送信パラメータ又は送信方式を調整するステップは、制御局が前記時間間隔内の、複数の異なる従属局からのCQIフィードバック情報を収集して、これらのCQIフィードバック情報に基づいて計算し、さらにテーブルをルックアップして、このときのシステム配置情報又はパラメータのスケジューリング周期又は送信周波数、及び/又は符号化速度を出力することを備え、
前記制御局が調整した後の送信パラメータ又は送信方式に応じて1つ又は複数の従属局へ前記システム情報を送信するステップは、前記制御局が、出力されたスケジューリング周期又は送信周波数、及び/又は符号化速度に応じて、従属局へ後続のシステム配置情報又はパラメータを送信することを備える、通信システムにおけるシステム情報に用いる更新方法。
【請求項２】
前記制御局が従属局のCQIフィードバック情報に基づいて計算し、且つテーブルをルックアップして、このときのシステム配置情報又はパラメータのスケジューリング周期又は送信周波数、及び/又は符号化速度を出力するステップは、
制御局が前記従属局の特定の時間間隔内でのフィードバック回数(n)及び相応のCQIフィードバックインデックス(Idx)を取得し、前記従属局の前記時間間隔内での平均CQIフィードバックインデックス(Idxavr)を取得するステップと、
m個の従属局のそれぞれの特定の時間間隔で内の平均CQIフィードバックインデックス(Idxavr1、Idxavr2、……、Idxavrm)を取得して、すべての従属局の前記時間間隔内での平均CQIフィードバックインデックス(IDXavr)が得られること、及び
制御局がラウンディング操作を経た平均CQIフィードバックインデックス(IDXavr)を利用し、特定のマッピングテーブルに基づいてテーブルルックアップ操作を行い、システム情報の長期のスケジューリング周期又は送信周波数、及び/又は符号化速度を出力することを備える請求項1に記載の更新方法。
【請求項３】
前記システム情報は、ネットワーク再入、ネットワーク初期アクセス、及びネットワーク発見に用いるシステム配置情報又はパラメータを備える請求項1に記載の更新方法。
【請求項４】
前記制御局は、マクロ制御局、マイクロ制御局、マイコロマイクロ制御局、中継局の中の1種又は多種のネットワーク要素を備え、
前記従属局は、端末、中継局、マイクロ制御局、マイクロマイクロ制御局の中の1種又は多種ネットワーク要素を備える請求項1に記載の更新方法。
【請求項５】
通信システムであって、
システム情報の送信パラメータ又は送信方式を調整し、調整した後の送信パラメータ又は送信方式に応じて1つ又は複数の従属局へ前記システム情報を送信するように設置する制御局と、
システム情報を受信して解読するように設置する従属局を備え、
前記従属局は、さらに、制御局のフィードバック要求に応じて、長期又は短期のフィードバックメッセージによって制御局へ1つの時間間隔内のチャンネル品質指示(CQI)情報を報告するように設置され、
前記制御局は、受動的調整方式を採用し、前記時間間隔内の、複数の異なる従属局からのCQIフィードバック情報を収集して、これらのCQIフィードバック情報に基づいて計算して、テーブルをルックアップして、このときのシステム配置情報又はパラメータのスケジューリング周期又は送信周波数、及び/又は符号化速度を出力し、出力したスケジューリング周期又は送信周波数、及び/又は符号化速度に応じて従属局へ後続のシステム配置情報又はパラメータを送信するように設置される通信システム。
【請求項６】
前記制御局が従属局のCQIフィードバック情報に基づいて計算し、且つテーブルをルックアップして、このときのシステム配置情報又はパラメータのスケジューリング周期又は送信周波数、及び/又は符号化速度を出力することは、
前記従属局の特定の時間間隔内でのフィードバック回数(n)及び相応のCQIフィードバックインデックス(Idx)を取得し、前記従属局の前記時間間隔内での平均CQIフィードバックインデックス(Idxavr)を取得することと、
m個の従属局のそれぞれの特定の時間間隔で内の平均CQIフィードバックインデックス(Idxavr1、Idxavr2、……、Idxavrm)を取得して、すべての従属局の前記時間間隔内での平均CQIフィードバックインデックス(IDXavr)が得られることと、
ラウンディング操作を経た平均CQIフィードバックインデックス(IDXavr)を利用し、特定のマッピングテーブルに基づいてテーブルルックアップ操作を行い、システム情報の長期のスケジューリング周期又は送信周波数、及び/又は符号化速度を出力することとを備える請求項5に記載の通信システム。
【請求項７】
前記システム情報は、ネットワーク再入、ネットワーク初期アクセス、及びネットワーク発見に用いるシステム配置情報又はパラメータを備える請求項5に記載の通信システム。
【請求項８】
通信システムにおける制御局であって、
システム情報の送信パラメータ又は送信方式を調整するように設置する調整モジュール、及び
調整した後の送信パラメータ又は送信方式に応じて1つ又は複数の従属局へ前記システム情報を送信するように設置する送信モジュール、を備え、
調整モジュールは、受動的調整方式を採用し、1つの時間間隔内の、複数の異なる従属局からのCQIフィードバック情報を収集して、これらのCQIフィードバック情報に基づいて計算して、テーブルをルックアップして、このときのシステム配置情報又はパラメータのスケジューリング周期又は送信周波数、及び/又は符号化速度を出力することを備えるように設置され、
前記送信モジュールは、前記調整モジュールが出力したスケジューリング周期又は送信周波数、及び/又は符号化速度に応じて従属局へ後続のシステム配置情報又はパラメータを送信することを備えるように設置される通信システムにおける制御局。
【請求項９】
前記調整モジュールがCQIフィードバック情報に基づいて計算し、且つテーブルをルックアップして、このときのシステム配置情報又はパラメータのスケジューリング周期又は送信周波数、及び/又は符号化速度を出力することは、
前記従属局の特定の時間間隔内でのフィードバック回数(n)及び相応のCQIフィードバックインデックス(Idx)を取得し、前記従属局の前記時間間隔内での平均CQIフィードバックインデックス(Idxavr)を取得することと、
m個の従属局のそれぞれの特定の時間間隔で内の平均CQIフィードバックインデックス(Idxavr1、Idxavr2、……、Idxavrm)を取得して、すべての従属局の前記時間間隔内での平均CQIフィードバックインデックス(IDXavr)が得られることと、
ラウンディング操作を経た平均CQIフィードバックインデックス(IDXavr)を利用し、特定のマッピングテーブルに基づいてテーブルルックアップ操作を行い、システム情報の長期のスケジューリング周期又は送信周波数、及び/又は符号化速度を出力することとを備える請求項8に記載の制御局。
【請求項１０】
前記システム情報は、ネットワーク再入、ネットワーク初期アクセス、及びネットワーク発見に用いるシステム配置情報又はパラメータを備える請求項8に記載の制御局。
【発明の詳細な説明】
【技術分野】
【０００１】
本発明は、無線通信分野に関し、特に、通信システム及び通信システムにおけるシステム情報の更新方法に関する。
【背景技術】
【０００２】
無線通信システムにおいて、制御局(例えば基地局)は、無線セルラセルを組成した基本ユニットであり、移動通信ネットワークと移動通信ユーザーとの間の通信及び管理機能を完成し、それはアップ/ダウンリンクによって従属局(例えば端末)と通信し、ダウンとは制御局から従属局までの方向を意味し、アップとは従属局から制御局までの方向を意味する。複数の従属局は、アップリンクによって同時に制御局へデータを送信することができ、ダウンリンクによって同時に制御局からデータを受信することもできる。制御局を採用して無線資源スケジューリング制御を実現する無線通信システムにおいて、システム無線資源のスケジューリング割り当てが制御局により完成される。
【０００３】
無線通信システムにおいて、従属局が1種の効率のよい方式でセル選択及びシステムアクセスを完成することを保証するために、制御局は、通常にシステムのダウンブロードキャスト制御チャンネルを利用して時間的に比較的重要なシステム配置情報又はパラメータのアグリゲートを周期的に送信し必要があり、例えば802.16mシステムにおけるスーパーフレームヘッダー(Super-Frame Header、SFHと略称する)の使用である。操作模様によって、運営者がなにかのシステム配置情報又はパラメータを不定期的に変更する可能性があり、この期間に、従属局は、その正常なデータ伝送を影響することを回避するように、これらの必要なシステム配置情報又はパラメータをタイムリーに更新して応用する必要がある。
【０００４】
また、省エネルギーの目的を実現するために、多数の移動又は無線通信プロトコルではいずれもスリープ(Sleep)モードが提供され、該スリープモードは、移動従属局のエネルギー消費を消減し、且つサービス制御局のエアインターフェース資源の使用を下げることを目的とする。Sleepモードは、従属局が予め協議した指定の周期内に、サービス制御局のサービスを一時的に中止する1種の状態であり、即ち、Sleepモードにある移動従属局のスリープウィンドウ内で、制御局がいかなる形式のダウン業務を前記従属局にユニキャストしない。
【０００５】
大多数の無線通信システムについては、システム配置情報又はパラメータのスケジューリング周期が相対的に固定であり、例えば802.16mシステムにおいて、システム情報がSFHでブロードキャストし、スーパーフレームヘッダーがプライマリースーパーフレームヘッダー(Primary-SFH、P-SFHと略称する)及びセカンダリースーパーフレームヘッダー(Secondary-SFH、S-SFHと略称する)にさらに分かれ、また、S-SFHが複数のサブパッケージにさらに分かれ、例えば、サブパッケージ1(SP1)〜サブパッケージ3(SP3)であり、ほとんどのシステム情報がS-SFHの3つのサブパッケージを送信され、且つ各スーパフレームに必ずしもこれらのサブパッケージを有しなく、これらのサブパッケージを送信する具体的な位置は制御局が予め設定した、異なるサブパッケージのスケジューリング周期に依存する。
【０００６】
このため、制御局がシステム配置情報又はパラメータを更新する期間に、従属局のデコードエラー、或いは前記システム配置情報又はパラメータスケジューリング周期の制限によって、従属局に変更後のシステム配置情報又はパラメータをタイムリーに受信して応用させることができなく、最終に、制御局との間の正常なデータ交互を影響する恐れがあり、また、前記システム配置情報又はパラメータの更新がSleepモードにある1つ又は複数の従属局のスリープウィンドウ間に発生する可能性があり、この時、前記従属局がシステム配置情報又はパラメータの更新を行わなく、最終に前記従属局が次のリスニング(Listening)ウィンドウ内に最新のシステム配置情報又はパラメータを速く取得しないことを引き起こし、これによって、従属局の正常な稼動を影響する恐れがある。
【発明の概要】
【発明が解決しようとする課題】
【０００７】
本発明が解決しようとする技術問題は、従来の技術において、従属局が変更したシステム配置情報をタイムリーに受信して応用するため、従属局が正常に稼動しないことを引き起こす問題を解決するための通信システム及び通信システムにおけるシステム配置情報の更新方法を提供することにある。
【課題を解決するための手段】
【０００８】
前記問題を解決するために、本発明は、通信システムにおけるシステム情報に用いる更新方法を提案しており、
制御局がシステム情報の送信パラメータ又は送信方式を調整すること、及び
制御局が調整した後の送信パラメータ又は送信方式に応じて1つ又は複数の従属局に前記システム情報を送信することを備える。
【０００９】
制御局がシステム情報の送信パラメータ又は送信方式を調整するステップは、
前記制御局は能動的調整方式を採用して、システム情報が変化することを確定した後、変化した後のシステム情報の送信パラメータを調整することを備える。
【００１０】
前記方法は、
前記制御局は、前記システム情報が変化する時、スリープモードでのスリープウィンドウ内にある1つ又は複数の従属局を存在するかどうかを判断することによって、前記能動的調整方式を採用する持続時間を確定することをさらに備え、
前記制御局が採用した能動的調整方式は、前記1つ又は複数の従属局のリスニングウィンドウの間又はリスニングウィンドウの外部に、前記システム情報のスケジューリング周期又は送信周波数、及び/又は符号化速度を調整することを備える。
【００１１】
制御局がシステム情報の送信パラメータ又は送信方式を調整するステップは、
前記制御局が受動的調整方式を採用し、従属局からのフィードバック情報に基づいて、変化した後の又はすべてのシステム情報の送信パラメータ又は送信方式を調整することを備え、
前記フィードバック情報は、チャンネル品質指示情報及び/又はシステム情報の更新が失敗した指示情報を備える。
【００１２】
前記フィードバック情報がシステム情報の更新が失敗した指示情報であり、
前記方法は、従属局が、変化した後のシステム配置情報又はパラメータを正確にデコードすることができない条件で、或いは従属局が、スリープウィンドウでウェイクアップされた後、システム情報が変化することを見つけると、制御局へ前記システム情報の更新が失敗した指示情報をフィードバックすることをさらに備え、
前記制御局が受動的調整方式を採用し、従属局からのフィードバック情報に基づいて、変化した後の又はすべてのシステム情報の送信パラメータ又は送信方式を調整するステップは、前記制御局は正確に受信した、従属局がフィードバックした更新が失敗した指示情報に基づいて、前記システム情報のスケジューリング周期又は送信周波数、及び/又は符号化速度を調整し、或いは、送信方式を、変化した後のシステム情報を含むユニキャスト又はブロードキャスト情報を送信することに調整することを備える。
【００１３】
前記従属局が制御局へ前記システム情報の更新が失敗した指示情報をフィードバックするステップは
前記従属局がシェアのアップリンク物理制御チャンネル、及び/又はメディアアクセス制御情報によって制御局へ更新が失敗した指示情報をフィードバックすることを備え、
前記更新が失敗した指示情報は、システム配置情報又はパラメータ、及び/又は従属局情報を備える。
【００１４】
前記フィードバック情報がチャンネル品質指示(CQI)情報であり、
前記方法は、従属局が制御局のフィードバック要求に応じて、長期又は短期のフィードバック情報によって制御局へ1つの時間間隔内のCQI情報を報告することをさらに備え、
前記制御局が受動的調整方式を採用し、従属局からのフィードバック情報に応じて、変化した後の又はすべてのシステム情報の送信パラメータ又は送信方式を調整するステップは、制御局が前記時間間隔内の、複数の異なる従属局からのCQIフィードバック情報を収集して、これらのCQIフィードバック情報に基づいて計算し、且つテーブルをルックアップしてこのときのシステム配置情報又はパラメータのスケジューリング周期又は送信周波数、及び/又は符号化速度を出力することを備え、
前記制御局が調整した後の送信パラメータ又は送信方式に応じて1つ又は複数の従属局へ前記システム情報を送信するステップは、前記制御局が、出力されたスケジューリング周期又は送信周波数、及び/又は符号化速度に応じて、従属局へ後続のシステム配置情報又はパラメータを送信することを備える。
【００１５】
前記制御局が従属局のCQIフィードバック情報に基づいて計算し、且つテーブルをルックアップしてこのときのシステム配置情報又はパラメータのスケジューリング周期又は送信周波数、及び/又は符号化速度を出力するステップは、
制御局が前記従属局の特定の時間間隔内のフィードバック回数(n)及び相応のCQIフィードバックインデックス(Idx)を取得し、前記従属局の前記時間間隔内の平均CQIフィードバックインデックス(Idxavr)を取得するステップと、
m個の従属局の各自の特定の時間間隔内の平均CQIフィードバックインデックス(Idxavr1、Idxavr2、……、Idxavrm)を取得して、すべての従属局の前記時間間隔内の平均CQIフィードバックインデックス(IDXavr)が得られるステップと、
制御局がラウンディング操作を経た平均CQIフィードバックインデックス(IDXavr)を利用し、特定のマッピングテーブルに基づいてテーブルルックアップ操作を行い、システム情報の長期のスケジューリング周期又は送信周波数、及び/又は符号化速度を出力するステップを備える。
【００１６】
前記送信パラメータは、スケジューリング周期又は送信周波数、及び/又は符号化速度を備える。
【００１７】
前記システム情報は、ネットワーク再入、ネットワーク初期アクセス、及びネットワーク発見のためのシステム配置情報又はパラメータを備える。
【００１８】
前記制御局は、マクロ制御局、マイクロ制御局、小型マイクロ制御局、中継局の中の1種又は多種のネットワーク要素を備え、
前記従属局が端末、中継局、マイクロ制御局、小型マイクロ制御局の中の1種又は多種ネットワーク要素を備える。
【００１９】
本発明は、通信システムをさらに提供し、
システム情報の送信パラメータ又は送信方式を調整し、調整した後の送信パラメータ又は送信方式に応じて1つ又は複数の従属局へ前記システム情報を送信するように設置する制御局と、
システム情報を受信して解読するように設置する従属局を備える。
【００２０】
前記従属局は、さらに、変化した後のシステム配置情報又はパラメータを正確にデコードすることができない条件で、或いは従属局が、スリープウィンドウでウェイクアップされた後、システム配置情報又はパラメータが変化することを見つけると、制御局へ前記システム配置情報又はパラメータの更新が失敗した指示情報をフィードバックするように設置され、
前記制御局は、受動的調整方式を採用し、正確に受信した、従属局がフィードバックした更新が失敗した指示情報に基づいて、前記システム情報のスケジューリング周期又は送信周波数、及び/又は符号化速度を調整し、或いは、送信方式を、変化した後のシステム情報を含むユニキャスト又はブロードキャスト情報を送信することに調整するように、システム情報の送信パラメータ又は送信方式を調整するように設置される。
【００２１】
前記従属局は、さらに、制御局のフィードバック要求に応じて、長期又は短期のフィードバック情報によって制御局へ1つの時間間隔内のチャンネル品質指示(CQI)情報を報告するように設置され、
前記制御局は、受動的調整方式を採用し、前記時間間隔内の、複数の異なる従属局からのCQIフィードバック情報を収集して、これらのCQIフィードバック情報に基づいて計算し、且つテーブルをルックアップしてこのときのシステム配置情報又はパラメータのスケジューリング周期又は送信周波数、及び/又は符号化速度を出力し、出力したスケジューリング周期又は送信周波数、及び/又は符号化速度に応じて従属局へ後続のシステム配置情報又はパラメータを送信するように設置される。
【００２２】
本発明は通信システムにおける制御局をさらに提供し、
システム情報の送信パラメータ又は送信方式を調整するように設置する調整モジュールと、
調整した後の送信パラメータ又は送信方式に応じて1つ又は複数の従属局へ前記システム情報を送信するように設置する送信モジュールを備える。
【００２３】
前記調整モジュールは、システム情報が変化することを確定した後、変化した後のシステム情報の送信パラメータを調整し、或いは従属局のフィードバック情報に基づいて、変化した後の又はすべてのシステム情報の送信パラメータ又は送信方式を調整するように設置される。
【発明の効果】
【００２４】
本発明の上述した少なくとも1つの方案によれば、制御局は、無線ネットワークシステム配置情報又はパラメータを更新する期間、或いは1つ又は複数の従属局のListeningウィンドウの間に、前記システム配置情報又はパラメータのスケジューリング周期又は送信周波数、及び/又は符号化速度を調整することによって、従属局に最新の前記システム配置情報又はパラメータを取得させ又はできるだけ速く取得させて応用することができ、これによって、従来の技術において、従属局が変更後のシステム配置情報又はパラメータをタイムリーに受信しないため、従属局が正常に稼動しない問題を解決し、ウェイクアップ又はスリープモードにある従属局が、システム配置情報又はパラメータが変更する場合には、正常に稼動することを保証し、システム性能を向上させる。
【００２５】
本発明の他の特徴及び利点について、次の説明で詳しく述べ、且つ、明細書において部分的に明らかになり、或いは本発明を実施することによって分かる。本発明の目的及び他の利点が書かされた明細書、請求の範囲 、及び図面に特に指し示された構造によって実現、獲得される。
【００２６】
図面は、本発明をさらに理解し、且つ説明書の一部を構成し、本発明の実施例と共に本発明を解釈するが、本発明を制限しない。
【図面の簡単な説明】
【００２７】
【図１】図1は本発明実施例による第1種のシステム配置情報又はパラメータの更新方式のフローチャートである。
【図２】図2は802.16mシステムを例とする第1種のシステム配置情報又はパラメータの更新過程の模式図である。
【図３】図3は本発明の実施例による第2種のシステム配置情報又はパラメータの更新方式のフローチャートである。
【図４】図4は本発明実施例による第3種のシステム配置情報又はパラメータの更新方式のフローチャートである。
【図５】図5は本発明実施例による第3種の更新方式においてCQIに基づいて最適な送信周波数又はスケジューリング周期、及び/又は符号化速度を確定したアルゴリズムフローチャートである。
【発明を実施するための形態】
【００２８】
本発明の目的、技術方案、及び利点をさらに明らかにさせ、以下、図面を参照して本発明をさらに詳しく説明する。
【００２９】
従来の技術において、従属局はデコードがエラーし又はスリープモードにあり、或いはシステム配置情報又はパラメータスケジューリング周期の制限により、従属局にシステム配置情報又はパラメータをタイムリーに受信して応用させることができなく、これによって、従属局は正常に稼動しない問題を引き起こし、本発明の実施例は、通信システム及び通信システムにおけるシステム配置情報又はパラメータの更新方法を提供している。
【００３０】
本発明では、制御局がそのシステム配置情報又はパラメータを変更する必要があることを確定する時、前記制御局が相応のシステム配置情報又はパラメータの送信周波数を自動的に増え、或いは相応のシステム配置情報又はパラメータのスケジューリング周期を下げ、或いは、従属局がシステム配置情報又はパラメータを正確にデコードしない時、制御局へ前記システム配置情報又はパラメータの更新が失敗した指示情報をフィードバックし、制御局が、システム配置情報又はパラメータの送信周波数又はスケジューリング周期、及び/又は符号化速度を調整し、或いはシステム配置情報又はパラメータの送信方式を調整し、或いは、制御局が、複数の従属局からの長期又は短期のCQIフィードバックに基づいて、前記システム配置情報又はパラメータのスケジューリング周期又は送信周波数、及び/又は符号化速度を調整する。
【００３１】
本発明の通信システムにおけるシステム情報の更新に用いる方法において、
制御局が、能動的調整方式を採用し、システム情報の変化することを確定した後、変化した後のシステム情報の送信パラメータを調整し、或いは、受動的調整方式を採用し、従属局のフィードバック情報に基づいて、変化した又はすべてのシステム情報の送信パラメータ又は送信方式を調整するステップと、
制御局が、調整後の送信パラメータ又は送信方式に応じて従属局へ変化した又はすべてのシステム情報を送信するステップを備える。
【００３２】
前記送信パラメータがスケジューリング周期又は送信周波数、及び/又は符号化速度を備える。
【００３３】
前記システム情報がシステム配置情報又はパラメータを備え、例えばネットワーク再加入、ネットワーク初期アクセス、ネットワーク発見、及びその他の必要なシステム配置のためのパラメータである。
【００３４】
本発明の通信システムは、
システム情報が変化することを確定した後、変化した後のシステム情報の送信パラメータを調整し、或いは、受動的調整方式を採用し、従属局のフィードバック情報に基づいて、変化した又はすべてのシステム情報の送信パラメータ又は送信方式を調整し、調整後の送信パラメータ又は送信方式に応じて従属局へ変化した又はすべてのシステム情報を送信するための制御局と、
システム情報を受信して解読するための従属局を備える。
【００３５】
さらに、前記従属局は、変更後のシステム配置情報又はパラメータを正確にデコードすることができない条件で、或いは従属局が、スリープウィンドウでウェイクアップされた後、システム情報が変化することを見つけると、制御局へ前記システム情報の更新が失敗した指示情報をフィードバックすることにさらに用いられる。これに対応して、前記制御局は、正確に受信した、従属局によりフィードバックされた更新が失敗した指示情報に基づいて、前記システム情報のスケジューリング周期又は送信周波数、及び/又は符号化速度を調整し、或いは、従属局へ変化した後のシステム情報を含むユニキャスト又はブロードキャスト情報を送信することに用いられる。
【００３６】
さらに、前記従属局は、制御局のフィードバック要求に応じて、長期又は短期のフィードバック情報によって制御局へある1つの時間間隔内のチャンネル品質指示(CQI)情報を報告することにさらに用いられる。これに対応して、前記制御局は、前記ある1つの時間間隔内の、複数の異なる従属局からのCQIフィードバック情報を収集して、且つこれらのCQIフィードバック情報に基づいて計算して、テーブルをルックアップしてこの時のシステム配置情報又はパラメータのスケジューリング周期又は送信周波数、及び/又は符号化速度を出力し、制御局は、出力したスケジューリング周期又は送信周波数、及び/又は符号化速度に応じて従属局へシステム配置情報又はパラメータを送信することことにさらに用いられる。
【００３７】
本発明の制御局は、
システム情報の送信パラメータ又は送信方式を調整するための調整モジュールと、
調整後の送信パラメータ又は送信方式に応じて1つ又は複数の従属局へ前記システム情報を送信するための送信モジュールを備える。
【００３８】
前記調整モジュールは、システム情報が変化することを確定した後、変化した後のシステム情報の送信パラメータを調整し、或いは従属局のフィードバック情報に応じて、変化した又はすべてのシステム情報の送信パラメータ又は送信方式を調整する。
【００３９】
本発明のシステム情報の更新方法は、調整方式の差異によって、3種類の更新方式に分かれることができる。
【００４０】
第1種の更新方式
制御局は、以下のような2種類の場合には、第1種の更新方式を採用して前記システム情報の送信パラメータを調整し、
第1種の場合、ネットワーク側にシステム配置情報又はパラメータの更新を行う期間に、制御局が能動的調整方式を採用して前記システム配置情報又はパラメータのスケジューリング周期又は送信周波数、及び/又は符号化速度を調整し、
前記システム配置情報又はパラメータの更新期間とは、制御局における1つ又は複数のタイマにより制御された時間範囲を意味し、前記時間範囲とは、システム配置情報又はパラメータが変更を発生した時刻から最新のシステム配置情報又はパラメータ全部がシステムに応用されるまでの時間を意味する。
【００４１】
第2種の場合、ネットワーク側に、システム配置情報又はパラメータが変化する時、ネットワークにおける1つ又は複数の従属局がSleepウィンドウ内にあると、制御局が能動的調整方式を採用し、次の前記1つ又は複数の従属局のリスニングウィンドウの期間又はリスニングウィンドウの外部に、前記システム配置情報又はパラメータのスケジューリング周期又は送信周波数、及び/又は符号化速度を調整する。
【００４２】
さらに、上記制御局が前記システム配置情報又はパラメータのスケジューリング周期又は送信周波数、及び/又は符号化速度を調整することは、
システム配置情報又はパラメータの送信周波数を増えることと、或いはシステム配置情報又はパラメータのスケジューリング周期を下げることを備え、前記システム配置情報又はパラメータとは、現在で変更後のシステム配置情報又はパラメータを意味する。
【００４３】
第2種の更新方式
従属局が、変化した後のシステム配置情報又はパラメータを正確にデコードすることができない条件で、或いは従属局が、スリープウィンドウでウェイクアップされた後、システム情報が変化することを見つけると、制御局へ前記システム情報の更新が失敗した指示情報をフィードバックし、
制御局が従属局からの前記フィードバックの指示情報を正確に受信した時、制御局が、相応のシステム配置情報又はパラメータの送信周波数を増加し、或いは相応のシステム配置情報又はパラメータのスケジューリング周期を低下し、或いは従属局へ変更後のシステム配置情報又はパラメータを含むユニキャスト又はブロードキャストの情報を送信し、或いは他の関連の操作を実行して従属局へ変更後のシステム配置情報又はパラメータを知らせることができる。
【００４４】
前記従属局が制御局へフィードバックした更新が失敗した指示情報は、システム配置情報又はパラメータ、及び/又は従属局の情報を備えてもよい。
【００４５】
前記従属局がスリープウィンドウでウェイクアップされた後、システム配置情報又はパラメータが変化することを見つけると、リスニングウィンドウに制御局へ前記更新が失敗した指示情報をフィードバックすることができる。
前記従属局が制御局へ前記システム配置情報又はパラメータの更新が失敗した指示情報をフィードバックすることは、
従属局がシェアのアップリンク物理制御チャンネル(例えば、Rangingチャンネルにおいて1つのコードワードを予め留める)によって制御局へフィードバックすることができる方式、又は、
従属局がメディアアクセス制御(MAC)情報によって制御局へフィードバックすることができる方式の中の少なくとも1つ又はそれらの組み合わせを備える。
【００４６】
第3種の更新方式
ステップ1では、従属局は、制御局のフィードバック要求に応じて、長期又は短期のフィードバック情報によって制御局へある1つの時間間隔内でのチャンネル品質指示(CQI)情報を報告し、
ステップ2では、制御局が前記ある1つの時間間隔内で複数の異なる従属局からのCQIフィードバック情報を収集して、これらのCQIフィードバック情報を合併してある1つのアルゴリズムモジュールの入力をとして、
ステップ3では、前記アルゴリズムモジュールがこのときの最適なシステム配置情報又はパラメータのスケジューリング周期又は送信周波数、及び/又は符号化速度を出力し、
ステップ4では、制御局が前記システム配置情報又はパラメータのスケジューリング周期又は送信周波数、及び/又は符号化速度を調整し、アルゴリズムモジュールが出力したスケジューリング周期又は送信周波数、及び/又は符号化速度に応じて従属局へシステム配置情報又はパラメータを送信する。
【００４７】
制御局が前記システム配置情報又はパラメータのスケジューリング周期又は送信周波数、及び/又は符号化速度を調整することは、前記システム配置情報又はパラメータのスケジューリング周期又は送信周波数、及び/又は符号化速度を増え、又は下げることを備える。
【００４８】
前記符号化速度とは、最初の符号化速度と重複回数との相乗積を意味し、前記システム配置情報又はパラメータの符号化速度を増え、又は低下することは、前記システム配置情報又はパラメータの最初の符号化速度及び/又は重複回数を増え、又は下げることを備える。
【００４９】
前記システム配置情報は、ネットワーク再入、ネットワーク初期アクセス、ネットワーク発見、及びその他の必要なシステム配置のためのパラメータを備える。
【００５０】
上記3種類の更新方式では、制御局は、相応のシステム配置情報又はパラメータの送信周波数を増加し、或いは相応のシステム配置情報又はパラメータのスケジューリング周期を低下し、或いは従属局へ最新のシステム配置情報又はパラメータを含むユニキャスト又はブロードキャストの情報を送信することができて、ウェイクアップモードでの従属局は、前記システム配置情報又はパラメータが効果を果たす前に制御局からのシステム更新情報又はシグナルを複数回受信することを保証することができ、これによって、前記従属局が変化した後のシステム配置情報又はパラメータを成功に取得する確率を増加し、同時に、Sleepモードでの従属局がそのリスニング間隔内に最新の前記システム配置情報又はパラメータをできるだけ速く取得して応用することを保証することができる。
【００５１】
互いに影響しない場合には、本出願における、実施例及び実施例における特徴が互いに組み合わせられることができる。以下、図面を参照して本発明の好ましい実施例を説明し、ここで叙述された好ましい実施例は、本発明のみを説明して解釈することに用いられ、本発明を限定することに用いらないことに理解すべきである。
【００５２】
以下、上記3種類の更新方式について、それぞれ図面を参照して詳しく叙述する。
【実施例１】
【００５３】
制御局は、2種類の場合には、相応のシステム配置情報又はパラメータのスケジューリング周期又は送信周波数を調整し、図1は本発明実施例による第1種のシステム配置情報又はパラメータの更新方式のフローチャートである。図1に示すように、本発明実施例によるシステム配置情報又はパラメータの更新方法は、主に、
ある種の策略に基づいて、制御局が、変更しようとするその一部又はすべてのシステム配置情報又はパラメータを確定し、同時に、1つの特定の時間間隔(T)を確定するステップS101と、
制御局が、この時にSleepモードにあるスリープウィンドウ内のすべての従属局を確定し、同時に、各従属局(i)が現在の時刻からそのリスニングウィンドウを始動するまでの時間(Ti)を計算するステップS102と、
制御局が上記すべての時間間隔(Ti)からその中の最大時間間隔(Tmax)を選択するステップS103と、
制御局が特定の時間間隔(T+Tmax)内で変化した後のシステム配置情報又はパラメータの送信周波数を増大するステップS104と、
上記時間間隔(T+Tmax)を経た後、制御局が、前記システム配置情報又はパラメータの送信周波数を低下し、且つ最初の送信周波数に回復するステップS105を備える。
【００５４】
本実施例の更新方式を参照して、スケジューリング周期を調整し、或いは送信周波数と符号化速度とを調整し、或いはスケジューリング周期と符号化速度とを調整することもできる。
【実施例２】
【００５５】
具体的な実施過程では、802.16mのシステム配置情報又はパラメータの更新を例とし、図2に示すように、第1種の更新方式の具体的な実施過程をさらに説明する。
【００５６】
仮に、セカンダリースーパーフレームヘッダー(S-SFH)において、サブパッケージ1(SP1)の初始スケジューリング周期が2つのスーパフレームで、サブパッケージ2(SP2)の初始スケジューリング周期が4つのスーパフレームで、サブパッケージ3(SP3)の初始スケジューリング周期が4つのスーパフレームである。また、現在、従属局1と従属局2がSleepモードで稼動される。
【００５７】
具体的に、そのシステム配置情報又はパラメータの更新過程は、以下のステップを備える。
【００５８】
ステップ201で、制御局は、第n目のスーパフレームでサブパッケージ2、サブパッケージ3におけるシステム配置情報又はパラメータを変化させる必要があることを確定するとともに、特定の時間間隔がTであることを確定する。
【００５９】
具体的に、制御局は、必要によってサブパッケージ1、サブパッケージ2、サブパッケージ3の中のいずれかの1つ又は2つのサブパッケージを変化させてもよく、或いはこの3つのサブパッケージを同時に変化させてもよい。
【００６０】
具体的に、前記時間間隔Tとは、制御局により決定された、システム配置情報又はパラメータが変化するからシステムに最終に応用された時まで経た時間を意味する。
【００６１】
ステップ202で、制御局は、この場合に、Sleepモードでのスリープウィンドウ内にある従属局が従属局1と従属局2とを確定し、従属局1が、第n目のスーパフレームからそのリスニングウィンドウを始動するまで、1つのスーパフレーム(T1)を通過する必要があり、従属局2が、第n目のスーパフレームからそのリスニングウィンドウを始動するまで、2つのスーパフレーム(T2)を通過する必要がある。
【００６２】
具体的に、第n目のスーパフレームの開始時刻に、Sleepモードにあるスリープウィンドウ内にあるいずれかの従属局を存在しない可能性があり、この場合に、ステップ202をしなくて、直接に次のステップをすることができ、或いは3つ又は3つ以上の、スリープウィンドウ内にある従属局を存在する。
【００６３】
具体的に、従属局が第n目のスーパフレームの開始時刻からそのリスニングウィンドウを始動するまで経た時間は整数個のスーパフレーム(1つのスーパフレームが4つの無線フレームを備える)ではない可能性があり、整数個の無線フレームであり、このため、前記時間間隔の単位がスーパフレーム又は無線フレームであってもよい。
【００６４】
ステップ203で、制御局はステップ202で得られた従属局1と従属局2との時間間隔(T1及びT2)からその中の最大時間間隔(T2)を選択する。
【００６５】
ステップ204で、制御局は7つの802.16mスーパフレーム(即ち、28個の無線フレーム)の時間間隔(T+T2)内に変化した後のシステム配置情報又はパラメータ(前記サブパッケージ2及びサブパッケージ3)の送信周波数を増え、具体的に、サブパッケージ1の瞬間スケジューリング周期と初始スケジューリング周期とが同じであり、サブパッケージ2とサブパッケージ3との瞬間スケジューリング周期の全部が2つのスーパフレームに変化される。
【００６６】
ステップ205で、ステップ204で確定した時間間隔(第n目のスーパフレームから第n+6目のスーパフレームまで)を経た後、制御局は、サブパッケージ2とサブパッケージ3との送信周波数を低下し、具体的に、サブパッケージ2とサブパッケージ3とのスケジューリング周期の全部が初始の4つのスーパフレームに回復される。
【実施例３】
【００６７】
該実施例では、従属局が、変化した後のシステム配置情報又はパラメータを正確にデコードすることができない条件で、或いは従属局がスリープウィンドウでウェイクアップされた後、システム配置情報又はパラメータが変化することを見つける時、制御局へ前記システム配置情報又はパラメータの更新が失敗した指示情報をフィードバックし、
制御局が従属局からの前記フィードバック指示情報を正確に受信した時、制御局が、相応のシステム配置情報又はパラメータの送信周波数を増加し、或いは相応のシステム配置情報又はパラメータのスケジューリング周期を低下し、或いは従属局へ最新のシステム配置情報又はパラメータを含むユニキャスト又はブロードキャストの情報を送信し、或いは他の関連の操作を実行することができる。
【００６８】
図3が本発明の実施例による第2種のシステム配置情報又はパラメータの更新方式のフローチャートであり、本発明実施例によるシステム配置情報又はパラメータの更新方法は、主に、
従属局が、変化した後のシステム配置情報又はパラメータを正確にデコードすることができないことを確定し、或いは従属局がスリープウィンドウでウェイクアップされた後、システム配置情報又はパラメータが変化することを見つけるステップS301と、
従属局が、シェアのアップリンク物理制御チャンネル又はMACメッセージによって制御局へ前記システム配置情報又はパラメータの更新が失敗した情報をフィードバックするステップS302と、
制御局が、変化した後のシステム配置情報又はパラメータの送信周波数を増え、或いは相応のシステム配置情報又はパラメータのスケジューリング周期を低下し、或いは従属局へ最新のシステム配置情報又はパラメータを含むユニキャスト又はブロードキャストの情報を送信し、或いは他の関連の操作を実行するステップS303を備える。
【００６９】
具体的な実施過程では、従属局が、制御局からの明確な指示情報又は制御シグナルによって、システム配置情報又はパラメータがいつか変化すること、或いは現在で変化するかどうかを確定する。
【００７０】
具体的に、システム配置情報又はパラメータが変化する時、従属局が前記システム配置情報又はパラメータを正確にデコードしないと、例えば巡回冗長検査(CRC)のエラーである場合に、従属局が制御局へ前記システム配置情報又はパラメータの更新が失敗した指示情報をフィードバックする。
【００７１】
具体的に、従属局が、シェアのアップリンク物理制御チャンネルによって制御局へ前記システム配置情報又はパラメータの更新が失敗した指示情報をフィードバックすることは、すべての従属局が、固定的、同様な物理ビデオ資源を用いて前記指示情報を送信することができ、前記指示情報が1つ又は複数の指示序列をキャリングすることができることを備える。
【００７２】
具体的に、従属局が、MACメッセージによって制御局へ前記システム配置情報又はパラメータの更新が失敗した指示情報をフィードバックすることは、すべての従属局が、データ又は業務チャンネルにおける1つのユニキャストのMACメッセージを用いて前記指示情報を送信することができ、前記MACメッセージに含まれた情報帯域の例示を表1に示すことを備える。
【００７３】
802.16mシステムについて、情報帯域「更新が失敗したシステム配置情報又はパラメータ情報」に具体的なS-SFHサブパッケージの更新が失敗した情報を含むことができ、例えば3つのビットのようなサイズなビットマップを用いて3つのサブパッケージにおけるどれか又はどのいくつかサブパッケージの更新が失敗することを指示し、即ち、第1のビットをサブパッケージ1に対応させ、第2のビットをサブパッケージ2に対応させ、第3のビットをサブパッケージ3に対応させる。
【００７４】
テーブル1：システム配置情報又はパラメータの更新失敗によって指示されたMAC情報の情報帯域の例示
0005452721.tif 000002
【００７５】
具体的に、制御局が従属局からの前記フィードバック指示情報を正確に受信した時、制御局が、特定の時間間隔内で、ブロードキャスト物理制御チャンネル内にキャリングされた変化した後のシステム配置情報又はパラメータの送信周波数を増え、或いは前記システム配置情報又はパラメータのスケジューリング周期を低下し、その後、初始のシステム配置情報又はパラメータの送信周波数又はスケジューリング周期を回復し、或いはデータ又は業務チャンネルによって従属局へ最新のシステム配置情報又はパラメータを含むユニキャスト又はブロードキャストのメッセージを送信することができる。
【実施例４】
【００７６】
該実施例では、制御局は、従属局からのCQIフィードバックに基づいて、前記システム配置情報又はパラメータのスケジューリング周期又は送信周波数、及び/又は符号化速度を調整する。図4が本発明実施例による第3種のシステム配置情報又はパラメータの更新方式のフローチャートであり、図4に示すように、本発明の実施例によるシステム配置情報又はパラメータの更新方法は、主に、
制御局からのフィードバック要求に基づいて、従属局が長期又は短期のフィードバックによって制御局へある1つの時間間隔内のチャンネル品質指示(CQI)情報を報告するステップS401と、
制御局が、ある1つの時間間隔内の、複数の異なる従属局からのCQIフィードバック情報を収集して、これらの情報を合併してある1つのアルゴリズムモジュールの入力とするステップS402と、
前記アルゴリズムモジュールが、この場合の最適なシステム配置情報又はパラメータの長期のスケジューリング周期又は送信周波数、及び/又は符号化速度を出力するステップS403と、
制御局が、前記アルゴリズムモジュールが出力したスケジューリング周期又は送信周波数、及び/又は符号化速度に応じて、従属局へシステム情報を送信するステップS404を備える。
【００７７】
具体的な実施過程では、制御局は、ネットワークにおける一部又は全部の従属局からのCQIフィードバック情報を利用して操作し、具体的に、制御局が指示する時、又はデフォルトの条件で、すべての従属局がいずれも制御局へCQI情報をフィードバックする必要がある時、制御局が、全部の従属局からのフィードバック情報を利用してシステム配置情報又はパラメータの更新操作を行い、制御局は、一部の従属局に制御局へCQI情報をフィードバックする必要があることを指示すると、制御局が前記一部の従属局からのフィードバック情報を利用してシステム配置情報又はパラメータの更新操作を行う。
【００７８】
具体的に、CQIフィードバック操作を行うことができるすべての従属局は、同じ或いは異なる、長期或いは短期のフィードバック周期(即ち、フィードバック時間間隔)を有することができ、例えば、通常、4つ或いは8つの無線フレームであり、前記フィードバック周期がデフォルト値であってもよく、或いは制御局でダウン制御シグナル又はメッセージによって明確に指示されてもよい。
【００７９】
具体的に、異なる従属局が異なるCQIフィードバック周期を採用する可能性があるため、このように、同じ時間間隔内で、制御局が受信した、異なる従属局からのフィードバック回数も異なり、このため、まず単一の従属局からのフィードバックを考慮する必要があり、次にすべての従属局の平均状況をさらに考慮する。
【００８０】
図5に示すように、前記アルゴリズムモジュールがスケジューリング周期又は送信周波数、及び/又は符号化速度を確定する方式は、具体的に、以下のステップを備える。
【００８１】
ステップS501で、制御局が、特定の時間間隔内で、特定の従属局からのフィードバック情報を能動的に収集し、前記従属局のこの期間のフィードバック回数(n)及び相応のCQIフィードバックインデックス(Idx)を取得する。
【００８２】
具体的に、毎回のフィードバックのCQIインデックス(Idxn)が具体的な変調符号化方式の情報をキャリングすることができ、該情報は、従属局が制御局にその間のダウン伝送に使用すべき最適な変調符号化方案である。
【００８３】
ステップS502、制御局がステップS501で取得した前記従属局のn個のCQIフィードバックインデックスを利用し、下記の公式によって前記従属局の前記時間間隔内の平均CQIフィードバックインデックス(Idxavr)を計算する。
Idxavr =(Idx1 +Idx2 +……+Idxn)/ n
【００８４】
ステップS503、次のエネーブルアップCQIフィードバックの従属局に対して、制御局が上記ステップS501とステップS502とを繰り返し実行し、最終に各エネーブルアップCQIフィードバックの従属局の前記時間間隔内の平均CQIフィードバックインデックス(Idxavr1、Idxavr2、……、Idxavrm)を取得し、mが現在のエネーブルアップCQIフィードバックの従属局の数を示す。
【００８５】
ステップS504、制御局がステップS503で取得した各エネーブルアップCQIフィードバックの従属局の平均CQIフィードバックインデックス(Idxavr) を利用し、下記の公式によって上記すべての従属局の前記時間間隔内の平均CQIフィードバックインデックス(IDXavr)を計算する。
IDXavr =(Idxavr1 +Idxavr2 + …… + Idxavrm)/ m
【００８６】
好ましくは、具体的な実現に応じて、一定のデータ範囲(例えば1〜16)内にで、上記平均CQIフィードバックインデックス(IDXavr)をラウンディング操作又は四捨五入の操作を行う。
【００８７】
ステップS505、制御局がステップS504で取得した、インテジャー操作を経た平均CQIフィードバックインデックス(IDXavr)を利用し、特定のマッピングテーブルに基づいてテーブルルックアップ操作を行い、最終に最適なシステム配置情報又はパラメータの長期のスケジューリング周期又は送信周波数、及び/又は符号化速度を出力する。
【００８８】
具体的に、異なる無線周波数インターフェース技術について、前記平均CQIフィードバックインデックス(IDXavr)が相応のシステム配置情報又はパラメータのスケジューリング周期又は送信周波数、及び/又は符号化速度との間のマッピングが異なる可能性があり、802.16m無線周波数インターフェース技術を例とし、前記マッピングテーブルがテーブル2に示すようにしてもよい。TBDが以降により確定することを示し、To Be Determinedの略称である。
【００８９】
テーブル2 - 802.16m平均CQIフィードバックインデックス(IDXavr)が相応のシステム配置情報又はパラメータ(S-SFH)のスケジューリング周期及び符号化速度との間のマッピング関係テーブル
IDXavr        S-SFH SP1スケジューリング周期        S-SFH SP2スケジューリング周期        S-SFH SP3スケジューリング周期        S-SFH符号化速度
0005452721.tif 000003
【００９０】
具体的に、制御局が前記システム配置情報又はパラメータのスケジューリング周期又は送信周波数、及び/又は符号化速度を調整することは、上記ステップS501〜ステップS505によって、前記システム配置情報又はパラメータのスケジューリング周期又は送信周波数、及び/又は符号化速度を増え、又は下げることを備える。
【００９１】
具体的に、前記符号化速度とは、最初の符号化速度と重複回数との相乗積を意味し、前記システム配置情報又はパラメータの符号化速度を増え、又は下げることは、前記システム配置情報又はパラメータの最初の符号化速度及び/又は重複回数を増え、又は下げることを備える。
【００９２】
例示の目的としても、本発明の好ましい実施例をすでに開示し、本分野の従業員が各種の改善、増加、及び代替も可能であることを認めており、このため、本発明の範囲が上記実施例に限定しないべきである。
【００９３】
本分野の普通の従業員は、上記方法における全部又は一部のステップがプログラムによって関連のハードウェアを指令して完成することを理解することができ、前記プログラムがコンピュータの読み取り可能な記録媒体に記憶されてもよく、例えば、読み出し専用メモリ、磁気ディスク又はディスク等。選択的に、上記実施例の全部又は一部のステップが1つ又は複数の集積回路を使用して実現してもよい。それに対応して、上記実施例における各モジュール/ユニットがハードウェアの形式を採用して実現してもよく、ソフトウェア機能モジュールの形式を採用して実現してもよい。本発明は、いずれかの特定形式のハードウェアとソフトウェアとの結合に制限されない。
【産業上の利用可能性】
【００９４】
本発明の方案によれば、制御局は、無線ネットワークがシステム配置情報又はパラメータの更新を行う間、或いは1つ又は複数の従属局のリスニングウィンドウの間又はリスニングウィンドウの外部に、前記システム配置情報又はパラメータのスケジューリング周期又は送信周波数、及び/又は符号化速度を調整することによって、従属局に最新の前記システム配置情報又はパラメータを取得させ又はできるだけ速く取得させて応用することができ、これによって、従来の技術において、従属局が変更後のシステム配置情報又はパラメータをタイムリーに受信して応用しないため、従属局が正常に稼動しない問題を解決し、ウェイクアップ又はスリープモードでの従属局が、システム配置情報又はパラメータが変更する場合には、正常に稼動することを保証し、システム性能を向上させる。
【図１】
0005452721.tif 000004
【図２】
0005452721.tif 000005
【図３】
0005452721.tif 000006
【図４】
0005452721.tif 000007
【図５】
0005452721.tif 000008